(57)【要約】【課題】吊下げ用チェーン等を別途用意しておく必要がなく、現場において吊下げ用チェーン等をポンプに繋留或いは取外したりする煩わしい作業も必要がなく、且つ、吊下げ用チェーン等の紛失も生じることのない、可搬式水中ポンプを提供する。【解決手段】搬式水中ポンプにおけるポンプ上方部に、吊下げ用ワイヤ６の収納室７を凹設し、該収納室７の上端開口部は蓋体８により開閉自在とし、収納室７内に終端部を定着させた吊下げ用ワイヤ６が、不使用時には収納室７内へ収納され、必要時は収納室７から引き出して使用する。【選択図】        図１
2005048728.tif 000002
【特許請求の範囲】
【請求項１】
ポンプ上面に付設された提手の握部に吊下げ用ワイヤの収納室を凹設してその上端開口部を蓋体により開閉自在とし、終端部を収納室内に定着させた状態により吊下げ用ワイヤが収納室内へ収納されるよう構成したことを特徴とする、可搬式水中ポンプ。
【請求項２】
ポンプ上面に吊下げ用ワイヤの収納室を凹設してその上端開口部を蓋体により開閉自在とし、終端部を収納室内に定着させた状態により吊下げ用ワイヤが収納室内に収納されるよう構成したことを特徴とする、可搬式水中ポンプ。
【請求項３】
収納室の上端開口部を開閉自在とする蓋体には吊下げ用ワイヤの挿通口が開設されてあり、吊下げ用ワイヤの終端部を収納室内に定着させると共に始端部を挿通口より導出させた状態により、該吊下げ用ワイヤが収納室内に収納されるよう構成したことを特徴とする、請求項１または２記載の可搬式水中ポンプ。
【請求項４】
吊下げ用ワイヤの終端部が収納室内に枢支された巻取り軸を介して収納室内に定着されており、吊下げ用ワイヤが巻取り軸に巻取られて収納室内に収納されるよう構成したことを特徴とする、請求項１または２記載の可搬式水中ポンプ。
【請求項５】
収納室の上端開口部を開閉自在とする蓋体には吊下げ用ワイヤの挿通口が開設されあり、吊下げ用ワイヤの終端部を収納室内に枢支された巻取り軸を介して収納室内に定着させると共に始端部を挿通口より導出させた状態により、該吊下げ用ワイヤが巻取り軸に巻取られて収納室内に収納されるよう構成したことを特徴とする、請求項１または２記載の可搬式水中ポンプ。
【発明の詳細な説明】
【技術分野】
【０００１】
本発明は、可搬式水中ポンプに関するものである。
【背景技術】
【０００２】
水中ポンプの設置および引揚げには、別途用意されている吊下げ用チェーン等をポンプヘッド上のアイボルトに繋留させることが一般に行われている(例えば、特許文献１および２参照）。そして水中ポンプを他の使用場所へ移設する場合には、持ち運びの障害とならないよう吊下げ用チェーン等をポンプヘッド上から取外してポンプと吊下げ用チェーン等を別々に搬送する。
【０００３】
しかし工事用小型水中ポンプなど特に仮設設置が多くて移動頻度の高い水中ポンプでは、現場の作業者にとって頻繁な吊下げ用チェーン等の繋留および取外しの煩わしい作業が発生し、また、取外した吊下げ用チェーン等を作業現場において紛失するおそれもある。
【特許文献１】実開平５−１４５８７号公報  （第６図）
【特許文献２】特開２０００−３１０１９４号公報  （第５図）
【発明の開示】
【発明が解決しようとする課題】
【０００４】
解決しようとする課題は、吊下げ用チェーン等を別途用意しておく必要がなく、現場において吊下げ用チェーン等をポンプに繋留或いは取外したりする煩わしい作業も必要がなく、且つ、吊下げ用チェーン等の紛失も生じることのない、可搬式水中ポンプを提供することである。
【課題を解決するための手段】
【０００５】
本発明可搬式水中ポンプでは、ポンプ上方部に吊下げ用ワイヤの収納室を凹設し、該収納室の上端開口部は蓋体により開閉自在とし、収納室内に終端部を定着させた吊下げ用ワイヤが、不使用時には収納室内へ収納され、必要時には収納室から引き出して使用できることを、最も主要な特徴としている。
【発明の効果】
【０００６】
発明可搬式水中ポンプによれば、吊下げ用チェーン等を別途用意しておく必要がなく、現場において吊下げ用チェーン等をポンプに繋留或いは取外したりする煩わしい作業も必要がなく、且つ、吊下げ用チェーン等の紛失も生じることがないという利点がある。
【発明を実施するための最良の形態】
【０００７】
ポンプ上面に付設された提手の握部に吊下げ用ワイヤの収納室を凹設し、該収納室の上端開口部は吊下げ用ワイヤの挿通口が開設し蓋体により開閉自在とし、吊下げ用ワイヤの終端部を収納室内に固定させると共に始端部を挿通口より導出させた状態により、該吊下げ用ワイヤが収納室内に収納されるよう構成して、必要時には挿通口から吊下げ用ワイヤを引き出して使用する。
【実施例１】
【０００８】
図１において、１はポンプを持ち運びする際に使用される提手であって、上縁部を握部２としてその両端より導下された脚状部分３，３をポンプ上面４に定着させることにより、握部２の下方に空間部５の形成される態様となっていることについては、従来と同じある。６は吊下げ用ワイヤであり、例えばスチール製の単線或いは捩線であってもいが、引張り強度に優れ且つ可撓性または弾力性を有することが条件となる。７は吊下げ用ワイヤ６の収納室であり、握部２の上面より凹設されてその上端開口部は蓋体８によって開閉自在となっている。前記吊下げ用ワイヤ６は終端部を収納室７の下底部等へ定着させた状態により、不使用時には収納室７内へ折畳むようにして収納し、必要時には収納室７から引き出して使用する。
【実施例２】
【０００９】
図２において、吊下げ用ワイヤ６の収納室７は、例えばポンプヘッドカバー４ａ内の空所を利用するようにポンプ上面４に凹設されている。吊下げ用ワイヤ６は終端部を収納室７の下底部等へ定着させた状態により、不使用時には収納室７の内周に沿って輪状に撓曲させるようにして収納し、必要時は収納室７から引き出して使用する。該吊下げ用ワイヤ６は、例えばスチール製の単線或いは捩線であってもいが、引張り強度に優れ且つ可撓性または弾力性を有することが条件であることは、実施例１の場合と同じである。また、収納室７の上端開口部が蓋体８によって開閉自在とされていることについても実施例１の場合と同様である。
【実施例３】
【００１０】
図１および図２において、収納室７の上端開口部を開閉自在とする蓋体８には、吊下げ用ワイヤ６の挿通口９が開設されてあり、吊下げ用ワイヤ６の終端部を収納室７の下底部等へ定着させると共に始端部を挿通口９より導出させた状態により、不使用時には収納室７内へ折畳むようにして或いは輪状に撓曲させるようにして収納し、必要時は挿通口９から引き出して使用するが、前記挿通口９の口縁部に挟着機構（図示せず）を付設しておけば、吊下げワイヤ６を任意の引き出し長さで停止させることができる。吊下げ用ワイヤ６の性状については実施例１の場合と同様である。
【実施例４】
【００１１】
図３において、吊下げ用ワイヤ６の終端部が収納室７内に枢支された巻取り軸１０を介して収納室７内に定着させた状態により、不使用時には巻取り軸１０に巻取らせて収納室７内へ収納させ、必要時は吊下げ用ワイヤ６を引張って巻取り軸１０から巻戻して使用する。巻取り軸１０への吊下げ用ワイヤ６の巻取りは、例えば収納室７の外側に付設されたハンドル１１の回動操作によって行わせ、或いは巻取り軸１０に付設された発条式巻取り機構（図示せず）の作用によって自動的に行わせることも可能である。吊下げ用ワイヤ６の性状については実施例１の場合と同様であり、また、収納室７の上端開口部が蓋体８によって開閉自在とされることについても実施例１の場合と同様である。
【実施例５】
【００１２】
図３において更に、収納室７の上端開口部を開閉自在とする蓋体８には吊下げ用ワイヤ６の挿通口９が開設されあり、吊下げ用ワイヤ６の終端部を収納室７内に枢支された巻取り軸１０を介して収納室７内に定着させると共に始端部を挿通口９より導出させた状態により、不使用時には巻取り軸１０に巻取らせて収納室７内へ収納させ、必要時には吊下げ用ワイヤ６を引張って巻取り軸１０から巻戻して使用する。吊下げ用ワイヤ６の性状については実施例１の場合と同様である。そして巻取り軸１０への吊下げ用ワイヤ６の巻取りは実施例４の場合と同様、収納室７の外側に付設されたハンドル１１の回動操作によって行わせ、或いは巻取り軸１０に付設された発条式巻取り機構（図示せず）の作用によって自動的に行わせることも可能である。しかも上記吊下げ用ワイヤ６の巻取り巻戻しは蓋体８を取外すことなく行なわせることができる。また、実施例3の場合と同様、挿通口９の口縁部に挟着機構（図示せず）を付設しておけば、吊下げ用ワイヤ６を任意の引き出し長さで停止させることができる。
【図面の簡単な説明】
【００１３】
【図１】本発明可搬式水中ポンプの要部縦断側面図であって、ポンプ上面に付設された提手の握部に凹設された収納室内へ吊下げ用ワイヤを収納させるよう構成した事例を示す。
【図２】本発明可搬式水中ポンプの要部縦断側面図であって、ポンプ上面に凹設された収納室内へ吊下げ用ワイヤを収納させるよう構成した事例を示す。
【図３】本発明可搬式水中ポンプの要部縦断側面図であって、収納室内の巻取り軸に吊下げ用ワイヤを巻取らせるよ構成した事例を示す。
【符号の説明】
【００１４】
１      提手
２      握部
４      ポンプ上面
６      吊下げ用ワイヤ
７      収納室
８      蓋体
９      吊下げ用ワイヤの挿通口
１０      巻取り軸
【図１】
2005048728.tif 000003
【図２】
2005048728.tif 000004
【図３】
2005048728.tif 000005